(57)【要約】  【課題】顧客が、プリントの注文時に受取時間を知ることができるプリント注文受受付機を提供する。  【解決手段】接続されている他のプリント注文受付機によるプリント注文状況および接続されているプリンタの状況の取得手段とを有し、プリント注文の内容と、他のプリント注文受付機によるプリント注文状況およびプリンタの状況とから、注文を受けたプリントの受取時間を演算し、ディスプレイに表示することにより、前記課題を解決する。【選択図】図２
2006236032.tif 000002
【特許請求の範囲】
【請求項１】
画像データを取得する画像取得手段と、プリント注文を入力する入力手段と、ディスプレイと、接続されている他のプリント注文受付機によるプリント注文状況および接続されているプリンタの状況の取得する情報取得手段とを有し、
前記入力手段によって入力されたプリント注文の内容と、前記情報取得手段によって取得した他のプリント注文受付機によるプリント注文状況およびプリンタの状況とから、注文を受けたプリントを顧客が受け取れる受取時間を演算し、前記ディスプレイに表示することを特徴とするプリント注文受付機。
【請求項２】
通常仕上げと、先にプリント注文された前記通常仕上げの件よりも先にプリント作成を行う特急仕上げとの選択手段を有する請求項１に記載のプリント注文受付機。
【請求項３】
プリント注文の入力の後に、プリント注文の確定を入力する処理があり、前記プリント注文の入力が終了してから、プリント注文が確定するまでの間、前記情報取得手段によって取得した他のプリント注文受付機によるプリント注文状況およびプリンタの状況に応じて、前記受取時間を更新する請求項１または２に記載のプリント注文受付機。
【請求項４】
プリント注文を待機している間、前記取得手段によって取得した他のプリント注文受付機によるプリント注文状況およびプリンタの稼働状況とから、暫定的なプリントの受取時間を予測し、前記ディスプレイに表示する請求項１〜３のいずれかに記載のプリント注文受付機。
【発明の詳細な説明】
【技術分野】
【０００１】
本発明は、主にデジタルカメラ等で撮影された画像からのプリント注文（プリント作成の注文）を受け付けるプリント注文受付機に関し、詳しくは、顧客がプリントの受取時間を適正に知ることができるプリント注文受付機。
【背景技術】
【０００２】
パーソナルコンピュータ（ＰＣ）やＰＤＡ（Personal Digital Assistance)等の普及に伴い、デジタルカメラの普及率が拡大している。さらに、撮影機能を有する携帯電話も普及している。
デジタルカメラや携帯電話等で撮影された画像（画像データ）は、ＰＣ等に取り込まれて処理され、ホームページや年賀状等の各種の用途に使用されるのが通常である。しかしながら、これらで撮影した画像を高品位な（写真）プリントとして残したいという要望も多い。また、フィルムに撮影された画像をＣＣＤセンサ等で光電的に読み取り、読み取った画像（画像データ）に所定の画像処理を施して出力用画像（データ）とし、この出力用画像に応じて変調したレーザ光等の記録光で印画紙を走査露光して、露光済の印画紙に所定の湿式処理を施す、いわゆるデジタルミニラボが実用化されている。画像を画像データとして扱うデジタルミニラボであれば、デジタルカメラ等で撮影された画像からのプリント作成にも、容易に対応可能である。
このような事情から、近年では、このようなデジタルミニラボを用いて、ラボ店等の専門の業者によって、デジタルカメラや携帯電話等で撮影された画像からのプリント作成が行われている。
【０００３】
デジタルカメラ等で撮影した画像のプリント作成をプリント業者に注文する場合には、例えば、ラボ店等の店頭や各種商業施設内等に設置されるプリント注文受付機（以下、受付機とする）を用いて行われる。
【０００４】
受付機は、通常、撮影した画像を記憶するメモリーカード、ＩＣカード、ＣＤ−Ｒなどの記録媒体を装填し、あるいは、直接もしくは接続手段用いてデジタルカメラや携帯電話を接続すると、画像を読み取って、注文画面と共にディスプレイに表示する。
顧客（プリントの注文者）は、タッチパネルとなっているディスプレイや所定の入力方法を用いて、プリント作成する画像、プリントサイズ、画像毎のプリント枚数などの注文（注文情報）を入力する。注文が確定すると、受付機は、画像と注文情報とを対応付けして、例えばラボ店などのサーバや画像処理装置に送り、此処からデジタルミニラボ等のデジタルプリントシステムに画像が供給されて、注文情報に応じたプリントが作成、出力される。
【０００５】
ところで、このようなデジタルカメラ等で撮影された画像からのプリント作成は、フィルムの現像処理が不要であるため、作業が簡易であり、かつ、迅速にプリント作成を行うことができる。また、前述のデジタルミニラボにおける処理の迅速化、処理精度や作業性等の向上、さらには、特許文献１などに示されるように、露光済印画紙の現像処理の迅速化等も進んでいる。
そのため、デジタルカメラ等で撮影された画像からのプリント作成は、通常のフィルムからのプリント作成に比して、プリント注文の受付から顧客へのプリントの提供までの時間を、大幅に短縮できる。
【特許文献１】特開平２００４−３１００６１号公報
【発明の開示】
【発明が解決しようとする課題】
【０００６】
しかしながら、現状では、受付機は、プリントの受取時間（プリントが仕上がり、顧客に提供できる時間）を把握することができず、顧客にプリントの受取時間を知らせることができない。従って、仮に、受付機を設置する店で直ぐに処理を行ってプリントを仕上げ、プリントを渡すことが可能な状態であっても、顧客は、その場でプリントを受け取ることはできない。
そのため、顧客は、プリントが確実に仕上がっていると考えられる充分な時間が経過した後、あるいは後日、再度来店して、プリントを受け取る必要がある。
【０００７】
本発明の目的は、前記従来技術の問題点を解決することにあり、デジタルカメラや撮像機能付きの携帯カメラ等で撮影した画像（画像データ）からのプリント注文をプリント注文受付機でした際に、顧客がプリントの受取時間を知ることができ、また、可能であれば、少しの待ち時間で、その場もしくは近くの受け取りカウンター等でプリントを受け取ることを可能にするプリント注文受付機を提供することにある。
【課題を解決するための手段】
【０００８】
前記目的を達成するために、本発明のプリント注文受付機は、画像データを取得する画像取得手段と、プリント注文を入力する入力手段と、ディスプレイと、接続されている他のプリント注文受付機によるプリント注文状況および接続されているプリンタの状況の取得する情報取得手段とを有し、前記入力手段によって入力されたプリント注文の内容と、前記情報取得手段によって取得した他のプリント注文受付機によるプリント注文状況およびプリンタの状況とから、注文を受けたプリントを顧客が受け取れる受取時間を演算し、前記ディスプレイに表示することを特徴とするプリント注文受付機を提供する。
【０００９】
このような本発明のプリント注文受付機において、通常仕上げと、先にプリント注文された前記通常仕上げの件よりも先にプリント作成を行う特急仕上げとの選択手段を有するのが好ましく、また、プリント注文の入力の後に、プリント注文の確定を入力する処理があり、前記プリント注文の入力が終了してから、プリント注文が確定するまでの間、前記情報取得手段によって取得した他のプリント注文受付機によるプリント注文状況およびプリンタの状況に応じて、前記受取時間を更新するのが好ましく、さらに、プリント注文を待機している間、前記取得手段によって取得した他のプリント注文受付機によるプリント注文状況およびプリンタの稼働状況とから、暫定的なプリントの受取時間を予測し、前記ディスプレイに表示するのが好ましい。
【発明の効果】
【００１０】
このような本発明によれば、プリント注文受付機でのプリント注文時に、顧客（プリントの注文者）がプリントの受取時間（プリントが仕上がり、顧客にプリントを提供できる時間）を知ることができるので、受取時間に応じて、その場でプリントの受取を待っているか、再度来店するかを決めることができ、不要に再来店する必要が無くなる。
また、通常仕上げと、可能な範囲で先に注文された件を追い越して処理を行う特急仕上げとを選択できるようにし、特急仕上げは割り増し料金にすることにより、顧客は、受取時間と料金とを考慮してサービスを選択することができ、顧客にとっての利便性を、より向上することができる。
【発明を実施するための最良の形態】
【００１１】
以下、本発明のプリント注文受付機について、添付の図面に示される好適実施例を基に詳細に説明する。
【００１２】
図１に、本発明のプリント注文受付機を利用するプリント生産システムの一例を概念的に示すブロック図である。
図示例のプリント生産システム１０（以下、生産システム１０とする）は、デジタルカメラや携帯電話等で撮影された画像（画像データ）から、顧客の注文（注文情報）に応じた（写真）プリントを作成するシステムで、一例として、本発明のプリント注文受付機１２（以下、受付機１２とする）と、デジタルイメージコントローラ１４（以下、ＤＩＣ１４とする）と、プリンタ１６とを有して構成される。
これらは、公知のネットワーク１８で接続され、互いに、情報等の閲覧、送受信等が可能になっている。
【００１３】
なお、図示例においては、生産システム１０は３台の受付機１２を有しているが、本発明の受付機１２が対応するプリント生産システムにおいて、受付機１２の数は３台に限定はされず、２台以下でも４台以上でもよく、また、ＤＩＣ１４および／またはプリンタ１６も、複数台を有してもよい。
また、後述するように、ＤＩＣ１４のような、生産システム１０において画像を一旦溜めるスプーラを有する場合には、本発明の受付機１２が対応するプリント生産システムに、本発明の受付機１２以外のプリント注文受付機が存在してもよい。
【００１４】
図２（Ａ）に受付機１２の外観の概念図を、図２（Ｂ）に受付機１２における注文情報の処理系の一部を概念的に示すブロック図を、それぞれ示す。
受付機１２は、ラボ店の店頭や各種の商業施設等に設置され、デジタルカメラや撮影機能を有する携帯電話等の撮像装置で撮影された画像（画像データ）からのプリント作成の注文を受け付ける装置で、記憶媒体（記憶メディア）の装填部２０、ディスプレイ２２、受付伝票出力部２４、ディスプレイコントローラ２６、記憶媒体の画像データを読取／記録する（メディア）ドライブ２８、注文情報処理手段３０、受取時間演算手段３２、および、プリントの引き換え券を作成するプリンタ（図示省略）等を有する。
また、受付機１２は、これ以外にも、ＣＰＵ、ＲＯＭ、ＲＡＭ等を有して構成される。
【００１５】
後に詳述するが，受付機１２は、装填部２０に装填された記憶媒体から画像を読み取り、入力された注文情報と１件の画像とを対応付けして、ＤＩＣ１４に供給する。
本発明の受付機１２すなわちドライブ２８が対応する記憶媒体には、特に限定はなく、スマートメディアTM、コンパクトフラッシュTM、メモリースティックTM、ＳＤメモリーカードTM、ＰＣカード、ＣＤ−Ｒ、ＭＤ等の公知の記憶媒体が、全て利用可能である。受付機１２が対応する記憶媒体は、１種に限定はされず、複数種の記憶媒体に対応してもよいのは、もちろんである。
また、受付機１２は、所定の接続手段等を用いることにより、デジタルカメラや携帯電話等から、直接、画像を読み取ってもよい。
【００１６】
図示例において、ディスプレイ２２は、各種の操作を行う、いわゆるタッチパネルとなっており、表示画像とディスプレイ２２とを用いた公知のＧＵＩ(Graphical User Interface)によって、注文の入力、後述する通常仕上げや特急仕上げ等の各種の指示入力などの各種の操作を行う。
また、ディスプレイコントローラ２６は、ディスプレイ２２における画像表示を制御し、また、ディスプレイ２２（タッチパネル）から入力された各種の情報を注文情報処理手段３０等の所定部位に送る。
なお、受付機１２は、ディスプレイ２２で入力操作を行うのに限定はされず、マウス、キーボード、操作用のボタンなどの操作手段で操作を行うものであってもよく、ディスプレイ２２と前記操作手段とを併用して操作を行うものであってもよい。
【００１７】
引き換え券（レシート（受付伝票））を作成するプリンタにも、特に限定はなく、インクジェットプリンタ、感熱プリンタなど、店頭等に設置されている写真注文受付機等で利用されている公知のものを用いればよい。
【００１８】
注文情報処理手段３０は、プリントの注文に対応して、その件の注文ＩＤ（識別情報）を生成し、さらに、ディスプレイ２２から入力された注文指示を処理して、注文ＩＤ、プリントを作成する画像、プリント枚数、プリントサイズ、特急仕上げか通常仕上げか、プリントの受取時間（顧客がプリントを受け取り可能な時間）等の注文情報と、１件の画像とを対応付けして、ネットワーク１８によってＤＩＣ１４に出力する。また、注文されている件の注文情報を、受取時間演算手段３２に送る。
仕上げ時間演算手段３２は、注文情報処理手段３０から供給された注文情報、ＤＩＣ１４が記憶している画像やプリントサイズ、プリンタ１６の状況等に応じて、プリントの受取時間を演算する。演算した受取時間は、ディスプレイコントローラ２６、注文情報処理手段３０、受付伝票を作成するプリンタ等の所定部位に送る。
これらの点については、後に詳述する。
【００１９】
ＤＩＣ１４は、受付機１２から供給された各画像に所定の画像処理を施して、プリンタ１６によるプリント作成に対応する出力用画像（画像データ）として、１件毎に、出力用画像と注文情報とを対応付けしてプリンタ１６に供給する。また、１件の画像を送ったら、１件の区切りを示すソート情報もプリンタに供給する。
ここで、ＤＩＣ１４は、受取時間の早い件から、画像をプリンタ１６に供給する。従って、後述する特急仕上げなどの場合には、必要に応じて、先に供給された件よりも早く（前の件を飛び越して）、画像をプリンタ１６に供給する。
また、生産システム１０に複数台のプリンタ１６が接続されている場合には、ＤＩＣ１４が各件の受取時間や各プリンタ１６の稼働状況等を考慮して、画像を出力するプリンタ１６を選択するようにしてもよい。
【００２０】
なお、ＤＩＣ１４で施す画像処理には、特に限定はなく、画像の拡大／縮小（電子変倍処理）、階調補正、色／濃度補正、彩度補正、シャープネス処理等の公知の各種の画像処理が利用可能である。また、何れの画像処理も、公知の方法で実施すればよい。
【００２１】
図示例の生産システム１０においては、好ましい態様として、後述するプリンタ１６は、プリント一件ずつ自動包装して、プリントパックとして出力する。
これに対応して、ＤＩＣ１４では、好ましい態様として、各件毎に、注文ＩＤ、プリント料金、プリント枚数などを記録する注文プリントの画像（注文プリント用画像）を作成して、各件の画像と共にプリンタ１６に供給する。
【００２２】
プリンタ１６は、ＤＩＣ１４から供給された出力用画像（出力用画像データ）に応じて変調したレーザ光等の記録光で、印画紙（感光材料）を像様に露光して潜像を形成し、露光済の感光材料に所定の現像処理を施して、乾燥して、（仕上がり）プリントとして出力する、前述のデジタルミニラボのプリンタである。
なお、図示例のプリンタ１６は、通常のプリンタのように、各件毎に仕分けしてソータにプリントを出力するのではなく、前述のように、好ましい態様として、１件毎に例えば透明な袋に収容してシールして、プリントパックとして出力する。なお、プリントパックの作成方法は、公知のシート状物の積層体の包装技術を用いればよい。
【００２３】
以下、図３のフローチャートを参照して、生産システム１０における受付機１２の作用を説明することにより、本発明のプリント注文受付機について、より詳細に説明する。
【００２４】
受付機１２は、好ましい態様として、プリント注文の入力を待機している状態では、現時点での暫定的なプリントの受取時間を表示している。
具体的には、受取時間演算手段３２がネットワーク１８によってＤＩＣ１４およびプリンタ１６を、閲覧して、ＤＩＣ１４が記憶している画像の情報（画像の画素数、プリントサイズ、枚数、画像処理の内容等）、プリンタ１６の状況（稼働状態、溜まっているプリントの情報（＝処理を待っている画像の情報）等）を取得して、プリンタ１６の処理能力（例えばプリントサイズ毎の単位時間当たりの出力枚数など）、さらには、検品、照合、袋詰め等にかかる時間を加味して、暫定的なプリントの受取時間（プリントが仕上がり、顧客にプリントを提供できる暫定的な時間）を算出する。
受取時間演算手段３２は、この演算した受取時間の情報をディスプレイコントローラ２６に送る。ディスプレイコントローラ２６は、ディスプレイ２２に、この暫定的なプリントの受取時間を表示させる。
【００２５】
なお、前述のように、受付機１２は、受け付けた各件の画像および注文情報を、ＤＩＣ１４に出力する。従って、ＤＩＣ１４が記憶している画像やプリントサイズ等から、他の受付機１０によるプリント注文の受付状況を知ることができる。
また、受付機１２は、他の受付機１２の状況を、直接的に閲覧してもよい。
【００２６】
ここで、図示例の受付機１２（生産システム１０）は、好ましい態様として、基本的に受付順に応じた順番でプリント作成処理を行う通常仕上げと、先に注文された件を追い越して、可能な範囲で優先的に早くプリント作成を行う特急仕上げとが選択できるようになっている。また、システム１０では、特急仕上げの場合には、通常仕上げよりも高いプリント料金となっている。
これに応じて、受付機１２では、例えば図４（Ａ）に示すように、特急仕上げの暫定的な受取時間および料金、ならびに、通常仕上げの暫定的な受取時間および料金をディスプレイ２２に表示する。なお、料金および受取時間は、一例として、最も汎用のプリントサイズで設定した枚数（例えば３０枚など）に対応して算出すればよい。あるいは「受取時間は、Ｌサイズ１０枚であれば１３：３０分頃、Ｌサイズ２０枚であれば１３：４０分頃です。」のように表示をしてもよい。
【００２７】
なお、システム１０があまり混み合ってなく、通常仕上げと特急仕上げとで受取時間がほぼ同じ場合などは、特急仕上げを依頼された場合でも、特急仕上を通常仕上げとして、料金を演算するようにしてもよい。
また、特急仕上げを行わないプリント生産システムの場合には、通常仕上げと同様に暫定的な受取時間を算出し、例えば図４（Ｂ）に示すように、現時点での暫定的な受取時間および料金を表示する。
【００２８】
図示例の受付機１２においては、装填部２０に記憶媒体（記憶メディア）が装填されると、これがプリント注文受付開始の指示となり、ドライブ２８は、装填された記憶媒体から画像（画像データ）を読み取る。
これと並行して、ディスプレイコントローラ２６は、ディスプレイ２２に特急仕上げか通常仕上げかを選択するサービス選択画面を表示させる（サービス選択）。
本例では、一例として、サービス選択で特急仕上げが選択されたとする。
【００２９】
サービス選択が終了したら、ディスプレイコントローラ２６は、注文画面をディスプレイ２２に表示する。受付機１２において、注文画面および注文の入力方法は、基本的に、通常のプリント注文受付機と同様でよい。前述のように、ディスプレイ２２はタッチパネルとなっているので、例えば、ドライブ２８が記録媒体から読み取った画像をディスプレイに表示して、かつ、プリントサイズや枚数、さらにソフトフォーカスやセピア仕上げ各種の特殊処理を入力するボタン等を表示して、表示画像に触れることにより画像を選択し、各種のボタンを用いてプリントサイズや枚数等を入力する。
【００３０】
なお、図示例の入力機１２においては、注文画面および注文方法は、特急仕上げと通常仕上げとで同様である。
ただし、本発明は、これに限定はされず、特急仕上げと通常仕上げとで、注文画面や注文方法を変更してもよい。例えば、特急仕上げの場合には、顧客は注文も急いでいる可能性がある。これに対応して、特急仕上げの場合には、特急仕上げが選択された時点で、自動的に、記憶媒体に記録されている全画像を予め設定されたサイズで１枚ずつ注文というようにしてもよく、あるいは、プリントサイズと枚数のみを選択して、自動的に同様に全画像のプリントを注文というようにしてもよく、あるいは、いずれかを選択可能にしてもよい。また、特急仕上げの場合には、このような自動的な全画像の注文と、画像選択による注文とを選択できるようにしてもよい。また、通常仕上げでの場合にも、これらの注文方法を選択できるようにしてもよい。
【００３１】
ディスプレイ２２によるプリント注文の入力は、ディスプレイコントローラ２６から注文情報処理手段３０に送られる。注文情報処理手段３０は、プリントを作成する画像、プリント枚数、プリントサイズ等の注文情報を処理すると共に、注文情報を受取時間演算手段３２に送る。また、受取時間演算手段３２は、この間も、ネットワーク１８によってＤＩＣ１４およびプリンタ１６を閲覧して、情報を取得している。
顧客によるプリント注文の入力が終了したら、受取時間演算手段３２は、この注文の件のプリント枚数、プリントサイズ、画像処理内容等の注文情報、ＤＩＣ１４が記憶している画像の情報（同前）、プリンタ１６の処理状況（同前）を取得して、プリンタ１６の処理能力（同前）、さらには、検品、照合、袋詰めなどにかかる時間を加味して、プリントの受取時間（プリントが仕上がって、最短かつ確実にプリントを顧客に提供できる時間）を算出する。
【００３２】
プリント時間は、プリント枚数、プリントサイズ、画像（画素数）によって異なる。そのため、注文の入力の終了前では、暫定的なプリントの受取時間しか算出できず、注文終了後に、正確なプリントの受取時間を算出することができる。
【００３３】
ここで、本例は特急仕上げの件であるので、受取時間演算手段３２は、先に注文された件の受取時間（注文確定時に顧客に提示した受取時間）に影響がでない範囲で、できるだけ早くプリントを提供できるように、前に注文された件を追い越して処理を行うように処理順を考慮して、受取時間を算出する。
また、通常仕上げの場合には、注文順に応じて、受取時間を算出する。
【００３４】
受取時間演算手段３２は、演算した受取時間の情報をディスプレイコントローラ２６に送る。
ディスプレイコントローラ２６は、ディスプレイ２２に、少なくとも受取時間およびプリント料金の情報を含むプリント注文の確認画面をディスプレイ２２に表示させて、注文の確定を促す。あるいは、受取時間演算手段３２が演算した受取時間に、若干の余裕分を加味して、受取時間としてもよい。
図４（Ｃ）に、確認画面の一例を示す。この確認画面は、特急仕上げの注文に応じた受け取り時間および料金に加え、好ましい態様として、受取時間演算手段３２において、この件を通常仕上げにした際の受取時間も算出して、この際における受取時間と料金も表示し、かつ、この画面で、通常仕上げへの変更も可能になっている。また、受取時間によって、料金を変更できると、さらによい。
【００３５】
なお、この確認画面の表示から、注文の確定が入力されるまでの間にも、受取時間演算手段３２は、随時、ＤＩＣ１４およびプリンタ１６を閲覧している。
この閲覧の結果、他の受付機１２から新たな件の注文がＤＩＣ１４等に送られた場合など、受取時間に影響を与える状況の変化がシステム１０にあった場合には、新たな受取時間を演算してディスプレイコントローラ２６に送り、ディスプレイ２２に表示する受取時間を、更新する。
【００３６】
注文の確定（Ｙｅｓ）が入力されたら、受付機１２においては、注文情報処理手段３０が、注文ＩＤ、プリントを作成する画像、プリント枚数、プリントサイズ、特急仕上げか通常仕上げか、プリントの受取時間等の注文情報と、１件の画像とを対応付けして、ネットワーク１８によってＤＩＣ１４に出力する。
また、受付機１２は、必要に応じてクレジットカード等による課金を行った後、注文ＩＤ等を記録したプリントの引き換え券（レシート）を発行する。なお、引き換え券には、料金や注文が確定した時点での受取時間を記録するのが好ましく、さらに、特急仕上げの場合には、特急仕上げである旨を記録するのが好ましい。
【００３７】
なお、確認画面で注文の確定がキャンセル（Ｎｏ）された場合には、受付機１２は、サービス選択画面に戻って、顧客に再度のサービス選択を促すか、注文画面に戻って、顧客に再度の注文入力を促す。
いずれの画面に戻るかは、一義的に決定されていてもよく、あるいは、顧客が選択できるようにしてもよい。
【００３８】
前述のように、受付機１２から注文情報と画像を受け取ったＤＩＣ１４は、供給された画像に必要な画像処理を施して、好ましくは、注文プリントの画像を作成して、受取時間に応じた順番で、画像をプリンタ１６に送る。
また、プリンタ１６では、画像に応じて変調した記録光で印画紙を像様に露光して、潜像を形成し、露光済の印画紙に所定の現像処理を施して、乾燥して（仕上がり）プリントとし、１券毎にパッキングしてプリントパックとして出力する。
【００３９】
以上の説明より明らかなように、本発明の受付機１２によれば、プリント注文時に、顧客がプリントの受取時間を知ることができるので、受取時間に応じて、その場でプリントの受け取りを待っているか、再度来店するかを決めることができ、不要に再来店をする必要が無くなる。
また、通常仕上げと特急仕上げとを選択できるようにし、特急仕上げは割り増し料金にすることにより、顧客は、受取時間と料金とを考慮してサービスを選択することができ、顧客にとっての利便性を、より向上することができる。
【００４０】
以上の例では、受付機１２では、先に特急仕上げか通常仕上げかのサービス選択をした後に、注文の入力を行っているが、本発明は、これに限定はされない。例えば、注文の入力を行った後に、サービス選択をして、注文の確認画面の表示、注文の確定と処理を行うようにしてもよい。あるいは、注文の入力を行った後に、特急仕上げおよび通常仕上げの料金と受取時間を表示した注文の確認画面を表示して、この確認画面でサービス選択を行い、その後、注文の確定を行うようにしてもよい。
何れの態様であっても、受取時間演算手段３２は、随時、ＤＩＣ１４およびプリンタ１６を閲覧して、必要に応じて、暫定の受取時間や注文に応じた受取時間を更新するのが好ましい。
【００４１】
また、以上の例では、本発明を、専用の（プリント注文）受付機１２を用いた場合を例に説明したが、本発明は、これに限定はされず、完全な専用機ではなく、ラボ店等が有するＰＣに専用の注文受付用ソフトウエアをインストールすることにより、このＰＣを本発明のプリント注文受付機として作用させてもよい。
さらに、インターネット等のコンピュータ通信ネットワークを用いて自宅などのＰＣ（パーソナルコンピュータ）やからプリント作成を注文する、いわゆるネット注文にも利用可能である。すなわち、この際には、プリント注文者の自宅のＰＣ等が本発明のプリント注文受付機となり、本発明のプリント注文受付機となる。
【００４２】
以上、本発明のプリント注文受付機について詳細に説明したが、本発明は上記実施例に限定はされず、本発明の要旨を逸脱しない範囲において、各種の改良や変更を行ってもよいのは、もちろんである。
【図面の簡単な説明】
【００４３】
【図１】本発明のプリント注文受付機を利用するプリント生産システムを概念的に示すブロック図である。
【図２】（Ａ）は、本発明のプリント注文受付機の一例を概念的に示す図、（Ｂ）は、その一部の構成を概念的に示すブロック図である。
【図３】図２に示すプリント注文受付機の作用を説明するためのフローチャートである。
【図４】（Ａ）は、図２に示すプリント注文受付機の待機時の画面の一例を、（Ｂ）は、本発明のプリント注文受付機の別の例の待機時の画面の一例を、（Ｃ）は、図２に示すプリント注文受付機の注文の確認画面の一例を、それぞれ示す図である。
【符号の説明】
【００４４】
１０  （プリント）生産システム
１２  （プリント注文）受付機
１４  ＤＩＣ
１６  プリンタ
１８  ネットワーク
２０  装填部
２２  ディスプレイ
２４  受付伝票出力部
２６  ディスプレイコントローラ
２８  ドライブ
３０  注文情報処理手段
３２  受取時間演算手段
【図１】
2006236032.tif 000003
【図２】
2006236032.tif 000004
【図３】
2006236032.tif 000005
【図４】
2006236032.tif 000006